(57)【要約】【課題】映像信号と付加情報信号とを合成する際に、自然な合成画面を効率良く作成できるようにする。【解決手段】付加映像信号とキー信号とをメモリ１２に記録する際に、パケタイザ１１にてこの付加映像信号及びキー信号を組み合わせて圧縮符号化しパケットに生成した後に、メモリ１２に記憶し、再生指示入力に応じてデパケタイザ１３にてメモリ１２からパケットを読み出して付加情報信号及びキー信号を再生したのち、映像合成回路１４にて本線映像信号中の任意の映像位置にキー信号を用いて付加映像信号の映像を付加する。【選択図】    図１
2005064575.tif 000002
【特許請求の範囲】
【請求項１】
デジタル放送の番組情報信号として放送すべく映像信号中の任意の映像位置に該映像とは独立した情報を付加するデジタル放送番組処理装置であって、
前記情報を表す付加情報信号と、キー信号とを選択的に組み合わせて圧縮符号化することで１つの符号化データを生成する符号化データ生成手段と、
この符号化データ生成手段で得られた符号化データを記録媒体に記録するデータ記録手段と、
再生指示入力に応じて、前記記録媒体から符号化データを読み出して前記付加情報信号及び前記キー信号を再生する信号再生手段と、
この信号再生手段で得られた前記付加情報信号及び前記キー信号と、別途提供される映像信号とを合成することで、前記映像信号中の任意の映像位置に前記付加情報信号の情報を付加する映像合成手段とを具備したことを特徴とするデジタル放送番組処理装置。
【請求項２】
前記符号化データ生成手段は、付加情報信号とキー信号とを組み合わせるとき、キー信号の画面に付加情報信号の情報を重ねることを特徴とする請求項１記載のデジタル放送番組処理装置。
【請求項３】
前記符号化データ生成手段は、前記付加情報信号と前記キー信号とをチャンネル毎に任意に組み合わせて、チャンネル別に符号化データを生成することを特徴とする請求項１記載のデジタル放送番組処理装置。
【発明の詳細な説明】
【０００１】
【発明の属する技術分野】
この発明は、例えばデジタル放送の番組情報信号として放送すべく映像信号中の任意の映像位置に情報を付加するためのデジタル放送番組処理装置に関する。
【０００２】
【従来の技術】
周知のように、映像編集システムにおいては、映像信号中から例えば文字や人物といったキャラクタ映像信号を抽出し、このキャラクタ映像を他の背景画像に合成するような映像合成技術が盛んに用いられている。この映像合成技術においては、本線の映像信号に付加情報（提供会社名，番組名）を重畳するために、付加情報信号の輝度・クロマ成分から付加情報のエリアを抽出して、本線映像信号に重畳する方法を採用している。
【０００３】
ところが、上記方法では、合成された映像のエッジ部分が不自然に見えてしまうことになる。そこで、付加情報信号とは別に、合成された映像のエッジ部分を滑らかにするためのエリア信号（キー信号）を発生させるキー方式が採用される（例えば、特許文献１）。
【０００４】
【特許文献１】
特開平５−１９１８２８号公報。
【０００５】
【発明が解決しようとする課題】
上記キー方式では、付加情報信号をメモリに格納するとともに、上記キー信号を映像信号としてメモリに格納して、付加情報信号及びキー信号を別々に管理し、再生指示に応じて、付加情報信号及びキー信号をメモリから別々に再生するようにしている。この場合、付加情報信号及びキー信号の収録タイミング／再生タイミングが一致しないことがある。このため、動画再生の映像合成時に、映像信号に嵌め込まれる情報とキー信号のサイズ・位置が異なり、不自然に見えることがある。
そこで、この発明の目的は、映像信号と付加情報信号とを合成する際に、自然な合成画面を作成し得るデジタル放送信号処理装置を提供することにある。
【０００６】
【課題を解決するための手段】
この発明は、上記目的を達成するために、以下のように構成される。
デジタル放送の番組情報信号として放送すべく映像信号中の任意の映像位置に該映像とは独立した情報を付加するデジタル放送信号処理装置であって、情報を表す付加情報信号と、キー信号とを選択的に組み合わせて圧縮符号化することで１つの符号化データを生成する符号化データ生成手段と、この符号化データ生成手段で得られた符号化データを記録媒体に記録するデータ記録手段と、再生指示入力に応じて、記録媒体から符号化データを読み出して付加情報信号及びキー信号を再生する信号再生手段と、この信号再生手段で得られた付加情報信号及びキー信号と、別途提供される映像信号とを合成することで、映像信号中の任意の映像位置に付加情報信号の情報を付加する映像合成手段とを備えるようにしたものである。
【０００７】
この構成によれば、付加情報信号とキー信号とを記録媒体に記録する際に、この付加情報信号及びキー信号を組み合わせて圧縮符号化して１つの符号化データに生成した後に、記録媒体に記録し、再生指示入力に応じて記録媒体から符号化データを読み出して付加情報信号及びキー信号を再生したのち、情報を付加すべく映像信号中の任意の映像位置にキー信号を用いて情報を付加するようにしているので、付加情報信号及びキー信号の収録タイミング／再生タイミングを一致させることができ、これにより動画再生の映像合成時に、映像信号に嵌め込まれる情報とキー信号のサイズ・位置が異なることのない自然な合成画面を作成することができる。また、同期処理等が不要となり、装置構成が簡略化され、低価格化を実現することができる。さらに、記録媒体上で付加情報信号とキー信号とを別々に管理する場合に比べて、記録媒体の記憶容量を削減することができる。
【０００８】
符号化データ生成手段は、付加情報信号とキー信号とをチャンネル毎に任意に組み合わせて、チャンネル別に符号化データを生成することを特徴とする。
この構成によれば、チャンネル毎の映像信号に対し最適な付加情報信号を合成することができる。
【０００９】
【発明の実施の形態】
以下、この発明の実施形態について図面を参照して詳細に説明する。
図１は、この発明に係わるデジタル放送番組処理装置の一実施形態を示すブロック図である。
図１において、符号１１はパケタイザで、本線映像信号に付加すべく付加映像信号、付加音声信号、キー信号、放送制御データとしてのＡＮＣデータを組み合わせて、圧縮符号化することで１つの符号化データとしてのパケットに生成する。また、パケタイザ１１は、複数チャンネルの付加映像信号、付加音声信号、キー信号、ＡＮＣデータが入力される場合に、チャンネル毎に付加映像信号、付加音声信号、キー信号、ＡＮＣデータを任意に組み合わせて、チャンネル別にパケットを生成する。
【００１０】
そして、パケタイザ１１から出力されるパケットは、メモリ１２の然るべき領域に記憶される。メモリ１２中のパケットは、デパケタイザ１３によって読み出される。デパケタイザ１３は、再生指示入力に応じて、メモリ１２中から読み出したパケットから付加映像信号、付加音声信号、キー信号、ＡＮＣデータを再生し、映像合成回路１４に出力する。映像合成回路１４は、デパケタイザ１３により再生されるキー信号を用いて、別途提供される本線映像信号の任意の映像位置に付加映像信号の映像を合成する。
【００１１】
次に、上記構成による動作について説明する。
まず、デジタル放送番組処理装置では、図２に示すように、映像信号α中の背景画像（山）に付加映像信号βの「ＡＢＣＤ」を挿入したい場合に、この「ＡＢＣＤ」の周囲にエッジを付加するためのキー信号γを用いて映像信号αと付加映像信号βとを合成することにより、合成された映像が不自然とならないようにすることができる。
【００１２】
以前、上記映像合成を行うために、図３に示す構成を採用していた。図３において、本線映像信号に付加すべく付加映像信号、付加音声信号、ＡＮＣデータは、パケタイザ２１によって１つのパケット♯１に生成されてメモリ２２に記憶される。また、付加映像信号中の「ＡＢＣＤ」にエッジを付加するためのキー信号は、パケタイザ２５によって映像信号フォーマットのパケット♯２に生成されてメモリ２２中のパケット♯１とは別の領域に記憶される。
【００１３】
そして、外部からの再生指示入力に応じて、デパケタイザ２３では、メモリ２２からパケット♯１を読み出して付加映像信号、付加音声信号、ＡＮＣデータを再生し、映像合成回路２４に出力し、デパケタイザ２６では、メモリ２２からパケット♯２を読み出してキー信号を再生し、映像合成回路２４に出力するようにしている。
【００１４】
ところが、上記構成では、付加映像信号とキー信号との収録タイミング／再生タイミングが一致しないことがあり、動作再生の映像合成時に、嵌め込まれる映像とキー信号のサイズ・位置が異なり、不自然に見えることがある。この場合、付加映像信号とキー信号とを同期させる同期処理装置が別途必要となってしまい、装置全体の大型化を招いてしまうことになる。
また、メモリ２２中でキー信号用の領域も確保する分、記録容量が増えることになり、多チャンネル分の付加映像信号を取り扱う場合には、記憶領域の拡大が余儀なくされ、装置の大型化を招いてしまうことになる。
【００１５】
そこで、本実施形態では、パケタイザ１１で付加映像信号、付加音声信号、キー信号、ＡＮＣデータを圧縮符号化して１つのパケットに変換してメモリ１２に記憶し、再生指示入力に応じてデパケタイザ１３にてパケットを読み出して付加映像信号、付加音声信号、キー信号、ＡＮＣデータを再生するようにしているので、付加映像信号とキー信号との収録タイミング／再生タイミングが常に一致することになり、これにより合成映像が自然に見えることになる。また、付加映像信号とキー信号とをパケタイザ１１でパケット化する際に、キー信号の画面に付加映像信号の映像「ＡＢＣＤ」を重ねるようにしている。このため、キー信号を映像フォーマットで送らずに済む。
【００１６】
以上のように上記実施形態では、付加映像信号とキー信号とをメモリ１２に記録する際に、パケタイザ１１にてこの付加映像信号及びキー信号を組み合わせて圧縮符号化しパケットに生成した後に、メモリ１２に記憶し、再生指示入力に応じてデパケタイザ１３にてメモリ１２からパケットを読み出して付加情報信号及びキー信号を再生したのち、映像合成回路１４にて本線映像信号中の任意の映像位置にキー信号を用いて付加映像信号の映像を付加するようにしている。
【００１７】
従って、付加映像信号及びキー信号の収録タイミング／再生タイミングを一致させることができ、これにより自然な合成画面を作成することができる。また、同期処理等が不要となり、また、従来の如くキー信号専用のパケタイザ及びデパケタイザが不要となる分、装置構成が簡略化され、低価格化を実現することができる。さらに、メモリ１２上で付加情報信号とキー信号とを別々に管理する場合に比べて、メモリ１２の記憶容量を削減することができる。
【００１８】
また、上記実施形態によれば、パケタイザ１１にて、付加映像信号とキー信号とをチャンネル毎に任意に組み合わせて、チャンネル別にパケットを生成するようにしているので、チャンネル毎の本線映像信号に対し最適な付加情報信号を合成することができる。
なお、この発明は上記実施形態に限定されるものではなく、デジタル放送番組処理装置の構成、付加映像信号の映像の内容、キー信号の種類等についてもこの発明の要旨を逸脱しない範囲で種々変形して実施できる。
【００１９】
【発明の効果】
以上詳述したようにこの発明によれば、映像信号と付加情報信号とを合成する際に、自然な合成画面を作成し得るデジタル放送信号処理装置を提供することができる。
【図面の簡単な説明】
【図１】この発明に係わるデジタル放送番組処理装置の一実施形態を示すブロック図。
【図２】同実施形態において、本線映像信号中の背景画像に付加映像信号の文字が挿入される様子を説明するために示す図。
【図３】従来より考えられていたデジタル放送番組処理装置の構成を示す図。
【符号の説明】
１１…パケタイザ、１２…メモリ、１３…デパケタイザ、１４…映像合成回路、２１…パケタイザ、２２…メモリ、２３…デパケタイザ、２４…映像合成回路、２５…パケタイザ、２６…デパケタイザ。
【図１】
2005064575.tif 000003
【図２】
2005064575.tif 000004
【図３】
2005064575.tif 000005